(57)【特許請求の範囲】
【請求項１】
フレームと磁石とを有するスピーカと、
上記磁石の周囲を取り囲む磁石カバーと、該磁石カバーと一部分重なりかつ上記フレームの周囲を取り囲むフレームカバーと、上記磁石と上記磁石カバーとの間に位置する第１の開口部と、上記磁石カバーと上記フレームカバーとの間に位置する第２の開口部とを有する防水カバーとを備え、
上記フレームカバーは、上記磁石カバー側に向かうにしたがって内径が小さくなるように傾斜した円錐筒状部分と、この円錐筒状部分の狭まった内径と同じ内径にて上記磁石カバー側に延びた円筒状部分とを有し、この円筒状部分が上記磁石カバーと一部分重なる
ことを特徴とするスピーカ装置。
【請求項２】
スピーカと組み合わせたときに磁石の周囲を取り囲む磁石カバーと、該磁石カバーと一部分重なりかつスピーカと組み合わせたときにフレームの周囲を取り囲むフレームカバーと、スピーカと組み合わせたときに磁石と上記磁石カバーとの間に位置する第１の開口部と、上記磁石カバーと上記フレームカバーとの間に位置する第２の開口部とを備え、
上記フレームカバーは、上記磁石カバー側に向かうにしたがって内径が小さくなるように傾斜した円錐筒状部分と、この円錐筒状部分の狭まった内径と同じ内径にて上記磁石カバー側に延びた円筒状部分とを有し、この円筒状部分が上記磁石カバーと一部分重なる
ことを特徴とするスピーカ装置の防水カバー。
【発明の詳細な説明】
【０００１】
【発明の属する技術分野】
この発明は、自動車のドア等に取り付けられるスピーカ装置及びその防水カバーに関するものである。
【０００２】
【従来の技術】
図７は従来例１のスピーカ装置を示す構成図である。図７は自動車のドアに取り付けられた状態を示している。図において、１０１はスピーカ装置、１０２はスピーカ、１０３は防水カバー、１０４は自動車のドアを構成する車室内側のパネルであるインナーパネル、１０５はドアの上側からドアの内部に浸入してきた水滴である。
【０００３】
このようにスピーカ装置１０１は、スピーカ１０２と防水カバー１０３とで構成されている。そして、ネジによりインナーパネル１０４に取り付けられている。
【０００４】
スピーカ１０２において、１１１は振動板、１１２は防塵の役割をするダストキャップ、１１５はスピーカ１０２を構成する部品を支えるフレーム、１１６は環状の磁石、１１７は磁石１１６が発する磁束を導くプレート、１２１は磁石１１６が発する磁束を導くポールピースである。
【０００５】
スピーカ１０２では、振動板１１１の基端部はボビン（図示せず）の前端部に接着され、振動板１１１の外周縁部はエッジ（図示せず）の内周縁部に接着されている。また、ダストキャップ１１２は振動板１１１の前面中心部に接着されている。また、磁石１１６はプレート１１７とポールピース１２１とで挟持されている。また、プレート１１７はフレーム１１５に取り付けられている。
【０００６】
防水カバー１０３は、スピーカ１０２の裏側のうち、上側のみを覆うように設けられている。
【０００７】
このような従来例１のスピーカ装置１０１では、防水カバー１０３によって、ドアの上側からドアの内部に浸入してきた水滴１０５が、スピーカ１０２にかかることを防止している。また、防水カバー１０３をスピーカ１０２の裏側のうち、上側のみを覆うように設けることによって、スピーカ１０２の裏側の空気圧が高くなり振動板１１１の動きが妨げられることを防止している。
【０００８】
従来例２．
図８は例えば、実公昭６１−６７０２号公報に開示された従来例２のスピーカ装置の構成図である。図８は自動車のドアに取り付けられた状態を示している。図において、１３１はスピーカ装置、１３３は防水カバーである。その他の構成要素は図５において同一符号を付して示したものと同一あるいは同等であるため、その説明を省略する。
【０００９】
このようにスピーカ装置１３１は、スピーカ１０２と防水カバー１３３とで構成されている。そして、ネジによりインナーパネル１０４に取り付けられている。
【００１０】
防水カバー１３３は、スピーカ１０２の裏側全体を覆うように設けられている。この防水カバー１３３には、防水カバー１３３の内側と外側とを連通する開口部１３３ａが複数設けられている。この開口部１３３ａは、防水カバー１３３に形成した切欠きの上縁部を斜め下方へ突出させることにより形成されている。
【００１１】
このような従来例２のスピーカ装置１３１では、防水カバー１３３によって、ドアの上側からドアの内部に浸入してきた水滴１０５やドアの下側からドアの内部に浸入してきた水滴が、スピーカ１０２にかかることを防止している。また、防水カバー１３３に開口部１３３ａを設けることによって、スピーカ１０２の裏面の空気圧が高くなり振動板の動きが妨げられることを防止している。
【００１２】
【発明が解決しようとする課題】
従来例１のスピーカ装置は、以上のように、防水カバーをスピーカの裏側のうち、上側にのみ設けるように構成されているので、ドアの下側からドアの内部に浸入してきた水滴がスピーカにかかる恐れがあるという課題があった。
【００１３】
また、従来例２のスピーカ装置は、以上のように、切欠きの上縁部を斜め下方へ突出させることにより形成される開口部を防水カバーに設けて、スピーカの裏面側の空気圧が高くなることを防止するように構成されているので、防水カバーの内側と外側とを連通する開口部の面積が小さく、スピーカの裏側の空気圧が高くなり振動板の動きが妨げられる場合があるという課題があった。
【００１４】
この発明は上記のような課題を解決するためになされたもので、水滴がスピーカにかかる恐れが小さくかつスピーカの裏面側の空気圧が高くなる恐れが小さいスピーカ装置及びその防水カバーを得ることを目的とする。
【００１５】
【課題を解決するための手段】
この発明に係るスピーカ装置は、磁石の周囲を取り囲む磁石カバーと、磁石カバーと一部分重なりかつフレームの周囲を取り囲むフレームカバーと、磁石と磁石カバーとの間に位置する第１の開口部と、磁石カバーとフレームカバーとの間に位置する第２の開口部とを有する防水カバーを備え、フレームカバーは、磁石カバー側に向かうにしたがって内径が小さくなるように傾斜した円錐筒状部分と、この円錐筒状部分の狭まった内径と同じ内径にて磁石カバー側に延びた円筒状部分とを有し、この円筒状部分が磁石カバーと一部分重なるものである。
【００１６】
この発明によれば、磁石カバーが、そのフレームカバー側に第１の庇部を備えているスピーカ装置を提供することもできる。
【００１７】
この発明によれば、第１の庇部が、第１の上側庇部と第１の下側庇部とを備え、第１の上側庇部の幅を第１の下側庇部の幅より大きくしているスピーカ装置を提供することもできる。
【００１８】
この発明によれば、フレームカバーが、その磁石カバー側に第２の庇部を備えているスピーカ装置を提供することもできる。
【００１９】
この発明によれば、第２の庇部が、第２の上側庇部と第２の下側庇部とを備え、第２の下側庇部の幅を第２の上側庇部の幅より大きくしているスピーカ装置を提供することもできる。
【００２０】
この発明によれば、フレームカバーが、その磁石カバー側と反対側の下側に水抜き孔を備えているスピーカ装置を提供することもできる。
【００２１】
この発明によれば、防水カバーが、磁石カバーからフレームカバーに向かって斜め下方に伸び、磁石カバーとフレームカバーとを連結する連結部を備えているスピーカ装置を提供することもできる。
【００２２】
この発明に係るスピーカ装置の防水カバーは、スピーカと組み合わせたときに磁石の周囲を取り囲む磁石カバーと、磁石カバーと一部分重なりかつスピーカと組み合わせたときにフレームの周囲を取り囲むフレームカバーと、スピーカと組み合わせたときに磁石と磁石カバーとの間に位置する第１の開口部と、磁石カバーとフレームカバーとの間に位置する第２の開口部とを備え、フレームカバーは、磁石カバー側に向かうにしたがって内径が小さくなるように傾斜した円錐筒状部分と、この円錐筒状部分の狭まった内径と同じ内径にて磁石カバー側に延びた円筒状部分とを有し、この円筒状部分が磁石カバーと一部分重なるものである。
【００２３】
この発明によれば、磁石カバーが、そのフレームカバー側に第１の庇部を備えているスピーカ装置の防水カバーを提供することもできる。
【００２４】
この発明によれば、第１の庇部が、第１の上側庇部と第１の下側庇部とを備え、第１の上側庇部の幅を第１の下側庇部の幅より大きくしているスピーカ装置の防水カバーを提供することもできる。
【００２５】
この発明によれば、フレームカバーが、その磁石カバー側に第２の庇部を備えているスピーカ装置の防水カバーを提供することもできる。
【００２６】
この発明によれば、第２の庇部が、第２の上側庇部と第２の下側庇部とを備え、第２の下側庇部の幅を第２の上側庇部の幅より大きくしているスピーカ装置の防水カバーを提供することもできる。
【００２７】
この発明によれば、フレームカバーが、その磁石カバー側と反対側の下側に水抜き孔を備えているスピーカ装置の防水カバーを提供することもできる。
【００２８】
この発明によれば、磁石カバーからフレームカバーに向かって斜め下方に伸び、磁石カバーとフレームカバーとを連結する連結部を備えているスピーカ装置の防水カバーを提供することもできる。
【００２９】
【発明の実施の形態】
以下、この発明の実施の一形態を説明する。
実施の形態１．
図１はこの発明の実施の形態１によるスピーカ装置の構成を示す断面図である。図２はこの発明の実施の形態１によるスピーカ装置の防水カバーの構成を示す斜視図である。図１はスピーカ装置が自動車のドアに取り付けられた状態を示している。図において、１はスピーカ装置、２はスピーカ、３は防水カバー、４は自動車のドアを構成する車室内側のパネルであるインナーパネル、５はドアの上側からドアの内部に浸入してきた水滴、６はスピーカ装置１をインナーパネル４に取り付けたときに防水カバー３とインナーパネル４との間に水滴が入ることを防止する、エプラシート（商品名、千代田インテグレ社製）などの発砲体から成るクッションである。
【００３０】
このようにスピーカ装置１は、スピーカ２と防水カバー３とで構成されている。そして、ネジによりインナーパネル４に取り付けられている。
【００３１】
スピーカ２において、１１は振動板、１２は防塵の役割をするダストキャップ、１３は振動板１１を支持するエッジ、１４はエッジ１３を押さえて固定するガスケット、１５はスピーカ２を構成する部品を支えるフレーム、１６は環状の磁石、１７は磁石１６が発する磁束を導くプレート、１８はボイスコイル、１９はボイスコイル１８が巻き回されたボビン、２０はボビン１９を支持するダンパ、２１は磁石が発する磁束を導くポールピースである。
【００３２】
このようにスピーカ２は、フレーム１５と、磁石１６とを備えている。
【００３３】
スピーカ２では、振動板１１の基端部はボビン１９の前端部に接着され、振動板１１の外周縁部はエッジ１３の内周縁部に接着されている。また、ダストキャップ１２は振動板１１の前面中心部に接着されている。また、磁石１６はプレート１７とポールピース２１とで挟持されている。また、プレート１７はフレーム１５に取り付けられている。また、ボビン１９はダンパ２０によって支持され、ポールピース２１とプレート１７との間隙に配置されている。また、ダンパ２０はフレーム１５に取り付けられている。
【００３４】
防水カバー３において、３１はスピーカ２と組み合わせたときに磁石１６の周囲を取り囲む磁石カバー、３２は磁石カバー３１の内側にわずかに入り込むことにより磁石カバー３１と一部分重なりかつスピーカ２と組み合わせたときにフレーム１５の周囲を取り囲むフレームカバー、３３はスピーカ２と組み合わせたときに磁石１６と磁石カバー３１との間に位置する第１の開口部、３４は磁石カバー３１とフレームカバー３２との間に位置する第２の開口部、３５は磁石カバー３１のフレームカバー３２側に設けられた第１のベゼル部（第１の庇部）、３６はフレームカバー３２の磁石カバー３１側に設けられた第２のベゼル部（第２の庇部）、３７はフレームカバー３２の磁石カバー３１側と反対側の下側に設けられた水抜き孔、３８は磁石カバー３１とフレームカバー３２とを連結する連結部、３９は防水カバー３をネジによりインナーパネル４に取り付けるためのネジ止め孔である。
【００３５】
このように防水カバー３は、磁石カバー３１と、フレームカバー３２と、第１の開口部３３と、第２の開口部３４と、第１のベゼル部３５と、第２のベゼル部３６と、水抜き孔３７と、連結部３８とを備えている。
【００３６】
磁石カバー３１は、フレームカバー３２側に向かうにしたがって内径がわずかに大きくなる略円筒状部分から成っている。防水カバー３をスピーカ２と組み合わせたときに、磁石カバー３１のフレームカバー３２側端部はプレート１７の周囲に位置し、もう一方の端部はポールピース２１の端面の周囲に位置している。
【００３７】
フレームカバー３２は、磁石カバー３１側に向かうにしたがって内径が小さくなるように傾斜している円錐筒状部分３２ａと、円錐筒状部分３２ａの磁石カバー３１側端部に位置し、円錐筒状部分３２ａが狭まった内径と同じ内径でさらに磁石カバー３１側に伸びている円筒状部分３２ｂと、円錐筒状部分３２ａの磁石カバー３１側端部と反対側の端部に位置し、インナーパネル４に取り付けたときにインナーパネル４と密着する取付部分３２ｃとから成っている。防水カバー３をスピーカ２と組み合わせたときに、フレームカバー３２の円錐筒状部分３２ａの磁石カバー３１側端部はフレーム１５とプレート１７との接面の周囲に位置し、フレームカバー３２の円筒状部分３２ｂの磁石カバー３１側端部は磁石１６の周囲に位置している。フレームカバー３２の円筒状部分３２ｂは磁石カバー３１と一部分重なっており、重なり合う長さは、５ｍｍ〜２０ｍｍである。フレームカバー３２には、円錐筒状部分３２ａと取付部分３２ｃとの境界に、幅５ｍｍ〜１０ｍｍのクッション６が貼り付けられている。
【００３８】
磁石カバー３１の内径は、防水カバー３と組み合わせて使用するスピーカ２の磁石１６の外径より大きい。また、磁石カバー３１のフレームカバー３２側に設けられた第１のベゼル部３５の外径は、フレームカバー３２の内径より小さい。また、フレームカバー３２の磁石カバー３１側に設けられた第２のベゼル部３６の内径は、磁石カバー３１の外径より小さい。第１のベゼル部３５とフレームカバー３２との間隔及び第２のベゼル部３６と磁石カバー３１との間隔は、５ｍｍ〜２０ｍｍである。フレームカバー３２の内径は防水カバー３と組み合わせて使用するスピーカ２のフレーム１５の外径より大きい。
【００３９】
第１のベゼル部３５は、磁石カバー３１の内面におけるフレームカバー３２側端部又はその近傍に位置している。第１のベゼル部３５は、磁石カバー３１の上部に位置する第１の上側ベゼル部（第１の上側庇部）３５ａと、磁石カバー３１の下部に位置する第１の下側ベゼル部（第１の下側庇部）３５ｂとから成っている。第１の上側ベゼル部３５ａの幅は第１の下側ベゼル部３５ｂの幅より大きい。
【００４０】
第２のベゼル部３６は、フレームカバー３２の内面における円錐筒状部分３２ａと円筒状部分３２ｂとの境界に位置している。第２のベゼル部３６は、フレームカバー３２の上部に位置する第２の上側ベゼル部（第２の上側庇部）３６ａと、フレームカバー３２の下部に位置する第２の下側ベゼル部（第２の下側庇部）３６ｂとから成っている。第２の下側ベゼル部３６ｂの幅は第２の上側ベゼル部３６ａの幅より大きい。
【００４１】
次に動作について説明する。
ドアの上側からドアの内部に浸入してきた水滴５がフレームカバー３２の円錐筒状部分３２ａの上側外面（図１中、ａで示す面）に落下すると、水滴は円錐筒状部分３２ａの傾斜面を流れ落ちる。水滴がフレームカバー３２の円筒状部分３２ｂに到達すると、水滴は円筒状部分３２ｂの外周面を伝って円筒状部分３２ｂの下側に流れ落ち、フレームカバー３２の円筒状部分３２ｂの下側外面（図１中、ｂで示す面）に到達する。
【００４２】
フレームカバー３２の円錐筒状部分３２ａの上側外面に落下した水滴は、以上のように移動するため、第１，第２の開口部３３，３４から防水カバー３の内部に入る恐れが小さい。
【００４３】
また、ドアの上側からドアの内部に浸入してきた水滴５が磁石カバー３１の上側外面（図１中、ｃで示す面）に落下すると、水滴は磁石カバー３１の外周面を伝って磁石カバー３１の下側に流れ落ち、磁石カバー３１の下側外面（図１中、ｄで示す面）に到達する。
【００４４】
磁石カバー３１の上側外面に落下した水滴は、以上のように移動するため、第１，第２のの開口部３３，３４から防水カバー３の内部に入る恐れが小さい。
【００４５】
磁石カバー３１の上側外面に落下した水滴５の一部分がその面で跳ね返っても、磁石カバー３１の上面において磁石カバー３１の上部に第１の上側ベゼル部３５ａを設け、フレームカバー３２の内面においてフレームカバー３２の上部に第２の上側ベゼル部３６ａを設け、第１のベゼル部３５とフレームカバー３２との間隔及び第２のベゼル部３６と磁石カバー３１との間隔を５ｍｍ〜２０ｍｍとしているため、跳ね返った水滴が、上側の第２の開口部３４から防水カバー３の内部に入る恐れが小さい。
【００４６】
磁石カバー３１の下側外面に到達した水滴がフレームカバー３２の円筒状部分３２ｂの下側内面（図１中、ｅで示す面）に落下し、フレームカバー３２の円筒状部分３２ｂの下側内面に落下した水滴の一部分がその面で跳ね返っても、磁石カバー３１の上面において磁石カバー３１の下部に第１の下側ベゼル部３５ｂを設け、フレームカバー３２の内面においてフレームカバー３２の下部に第２の下側ベゼル部３６ｂを設け、第１のベゼル部３５とフレームカバー３２との間隔及び第２のベゼル部３６と磁石カバー３１との間隔を５ｍｍ〜２０ｍｍとしているため、跳ね返った水滴が、下側の第２の開口部３４から防水カバー３の内部に入る恐れが小さい。
【００４７】
磁石カバー３１の上面に設けられた第１の上側ベゼル部３５ａの幅を第１の下側ベゼル部３５ｂの幅より大きくし、フレームカバー３２の内面に設けられた第２の下側ベゼル部３６ｂの幅を第２の上側ベゼル部３６ａの幅より大きくしているため、水滴が磁石カバー３１の上側外面に溜まり、上側の第２の開口部３４から防水カバー３の内部に入る恐れが小さく、水滴がフレームカバー３２の円筒状部分３２ｂの下側内面に溜まり、下側の第２の開口部３４から防水カバー３の内部に入る恐れが小さい。
【００４８】
また、ドアの下側からドアの内部に浸入してきた水滴がフレームカバー３２の円錐筒状部分３２ａの下側外面（図１中、ｆで示す面）に当たると、水滴は円錐筒状部分３２ａの傾斜面を流れ落ちる。
【００４９】
フレームカバー３２の円錐筒状部分３２ａの下側外面に当たった水滴は、以上のように移動するため、第１，第２の開口部３３，３４から防水カバー３の内部に入る恐れが小さい。
【００５０】
また、ドアの下側からドアの内部に浸入してきた水滴が磁石カバー３１の下側外面あるいはフレームカバー３２の円筒状部分３２ｂの下側内面に当たり、水滴の一部分がその面で跳ね返っても、磁石カバー３１の上面において磁石カバー３１の下部に第１の下側ベゼル部３５ｂを設け、フレームカバー３２の内面においてフレームカバー３２の下部に第２の下側ベゼル部３６ｂを設け、第１のベゼル部３５とフレームカバー３２との間隔及び第２のベゼル部３６と磁石カバー３１との間隔を５ｍｍ〜２０ｍｍとしているため、跳ね返った水滴が、下側の第２の開口部３４から防水カバー３の内部に入る恐れが小さい。
【００５１】
以上のように、この実施の形態１によれば、防水カバー３を、スピーカ２と組み合わせたときに磁石１６の周囲を取り囲む磁石カバー３１と、磁石カバー３１と一部分重なりかつスピーカ２と組み合わせたときにフレーム１５の周囲を取り囲むフレームカバー３２とを備えるように構成したので、ドアの上側からドアの内部に浸入してきた水滴だけでなく、ドアの下側からドアの内部に浸入してきた水滴が、スピーカにかかる恐れが小さいという効果が得られる。さらに、この実施の形態１によれば、防水カバー３を、スピーカ２と組み合わせたときに磁石１６と磁石カバー３１との間に位置する第１の開口部３３と、磁石カバー３１とフレームカバー３２との間に位置する第２の開口部３４とを備えるように構成したので、第１の開口部３３及び第２の開口部３４により防水カバー３の内側と外側とを連通する開口部の面積が大きく、スピーカ２の裏側の空気圧が高くなる恐れが小さいという効果がある。
【００５２】
また、この実施の形態１によれば、磁石カバー３１の上面においてフレームカバー３２側に第１のベゼル部３５を設け、フレームカバー３２の内面において磁石カバー３１側に第２のベゼル部３６を設けたので、磁石カバー３１の上側外面で跳ね返った水滴が、上側の第２の開口部３４から防水カバー３の内部に入る恐れが小さく、またフレームカバー３２の下側内面で跳ね返った水滴が、下側の第２の開口部３４から防水カバー３の内部に入る恐れが小さいという効果が得られる。
【００５３】
また、この実施の形態１によれば、磁石カバー３１の上面に設けられた第１の上側ベゼル部３５ａの幅を第１の下側ベゼル部３５ｂの幅より大きくし、フレームカバー３２の内面に設けられた第２の下側ベゼル部３６ｂの幅を第２の上側ベゼル部３６ａの幅より大きくしたので、磁石カバー３１の上側外面に溜まった水滴が、上側の第２の開口部３４から防水カバー３の内部に入る恐れが小さく、フレームカバー３２の円筒状部分３２ｂの下側内面に溜まった水滴が、下側の第２の開口部３４から防水カバー３の内部に入る恐れが小さいという効果が得られる。
【００５４】
また、この実施の形態１によれば、水抜き孔３７を、フレームカバー３２の磁石カバー３１側と反対側の下側に設けたので、防水カバー３の内部に入った水滴を水抜き孔３７から排出することができる効果が得られる。
【００５５】
実施の形態２．
図３はこの発明の実施の形態２によるスピーカ装置の防水カバーの構成を示す正面図である。図４は図３中のＩＶ−ＩＶ線に沿った断面図である。図５は右半分が図３中のＶ−Ｖ線に沿った断面を示し、左半分が図３中のＶ−Ｖ線に垂直な方向から眺めた側面を示す部分断面図である。図６は図３中の破線で囲んだＶＩ部分を拡大して示す斜視図である。図において、４３は防水カバー、４８は磁石カバー３１とフレームカバー３２とを連結する連結部である。
【００５６】
連結部４８において、４８ａは磁石カバー３１からフレームカバー３２に向かって斜め下方に伸びる第１の連結部（連結部）、４８ｂは磁石カバー３１からフレームカバー３２に向かって垂直方向に伸びる第２の連結部である。
【００５７】
その他の構成要素は図１及び図２において同一符号を付して示したものと同一あるいは同等であるため、その説明を省略する。
【００５８】
第１の連結部４８ａは、円周方向（図３中のＸ方向）における断面がＬ字形状をしている。
【００５９】
フレームカバー３２の円筒状部分３２ｂには、第１の連結部４８ａによりせき止められた水滴を、防水カバー３の外側に流し出すための排水溝３２ｄが設けられている。
【００６０】
次に動作について説明する。
ドアの上側からドアの内部に浸入してきた水滴５が磁石カバー３１の上側外面に落下すると、大部分の水滴は磁石カバー３１の外周面を伝って磁石カバー３１の下側に流れ落ち、磁石カバー３１の下側外面に到達する。一方、一部の水滴は第１の連結部４８ａでせき止められ、磁石カバー３１からフレームカバー３２に向かって斜め下方に伸びる第１の連結部４８ａの斜面を流れ、フレームカバー３２の円筒状部分３２ｂに設けられた排水溝３２ｄから防水カバー３の外側に流れ出る。
【００６１】
磁石カバー３１の上側外面に落下した水滴は、以上のように移動するため、第１，第２の開口部３３，３４から防水カバー３の内部に入る恐れが小さい。
【００６２】
以上のように、この実施の形態２によれば、実施の形態１と同様の効果が得られる。
【００６３】
また、この実施の形態２によれば、磁石カバー３１からフレームカバー３２に向かって斜め下方に伸びる第１の連結部４８ａを備えているため、第１の連結部４８ａでせき止められた水滴を防水カバー３の外側に流し出すことができる効果が得られる。
【００６４】
【発明の効果】
以上のように、この発明によれば、磁石の周囲を取り囲む磁石カバーと、磁石カバーと一部分重なりかつフレームの周囲を取り囲むフレームカバーと、磁石と磁石カバーとの間に位置する第１の開口部と、磁石カバーとフレームカバーとの間に位置する第２の開口部とを有する防水カバーを備え、フレームカバーは、磁石カバー側に向かうにしたがって内径が小さくなるように傾斜した円錐筒状部分と、この円錐筒状部分の狭まった内径と同じ内径にて磁石カバー側に延びた円筒状部分とを有し、この円筒状部分が磁石カバーと一部分重なるようにスピーカ装置を構成したので、水滴がスピーカにかかる恐れが小さく、かつスピーカの裏側の空気圧が高くなる恐れが小さいという効果がある。
【００６５】
この発明によれば、磁石カバーが、そのフレームカバー側に第１の庇部を備えるようにスピーカ装置を構成すれば、水滴が第２の開口部から防水カバーの内部に入る恐れが小さいという効果がある。
【００６６】
この発明によれば、第１の庇部が、第１の上側庇部と第１の下側庇部とを備え、第１の上側庇部の幅が第１の下側庇部の幅より大きくなるようにスピーカ装置を構成すれば、磁石カバーの上側外面に溜まった水滴が上側の第２の開口部から防水カバーの内部に入る恐れが小さいという効果がある。
【００６７】
この発明によれば、フレームカバーが、その磁石カバー側に第２の庇部を備えるようにスピーカ装置を構成すれば、水滴が第２の開口部から防水カバーの内部に入る恐れが小さいという効果がある。
【００６８】
この発明によれば、第２の庇部が、第２の上側庇部と第２の下側庇部とを備え、第２の下側庇部の幅が第２の上側庇部の幅より大きくなるようにスピーカ装置を構成すれば、フレームカバーの下側内面に溜まった水滴が下側の第２の開口部から防水カバーの内部に入る恐れが小さいという効果がある。
【００６９】
この発明によれば、フレームカバーが、その磁石カバー側と反対側の下側に水抜き孔を備えるようにスピーカ装置を構成すれば、防水カバーの内部に入った水滴を水抜き孔から排出することができる効果がある。
【００７０】
この発明によれば、防水カバーが、磁石カバーからフレームカバーに向かって斜め下方に伸び、磁石カバーとフレームカバーとを連結する連結部を備えるようにスピーカ装置を構成すれば、連結部でせき止められた水滴を防水カバーの外側に流し出すことができる効果がある。
【００７１】
この発明によれば、スピーカと組み合わせたときに磁石の周囲を取り囲む磁石カバーと、磁石カバーと一部分重なりかつスピーカと組み合わせたときにフレームの周囲を取り囲むフレームカバーと、スピーカと組み合わせたときに磁石と磁石カバーとの間に位置する第１の開口部と、磁石カバーとフレームカバーとの間に位置する第２の開口部とを備え、フレームカバーは、磁石カバー側に向かうにしたがって内径が小さくなるように傾斜した円錐筒状部分と、この円錐筒状部分の狭まった内径と同じ内径にて磁石カバー側に延びた円筒状部分とを有し、この円筒状部分が磁石カバーと一部分重なるようにスピーカ装置の防水カバーを構成したので、スピーカと組み合わせてスピーカ装置を構成した場合に、水滴がスピーカにかかる恐れが小さく、かつスピーカの裏側の空気圧が高くなる恐れが小さいスピーカ装置を得ることができる効果がある。
【００７２】
この発明によれば、磁石カバーが、そのフレームカバー側に第１の庇部を備えるようにスピーカ装置の防水カバーを構成すれば、スピーカと組み合わせてスピーカ装置を構成した場合に、水滴が第２の開口部から防水カバーの内部に入る恐れが小さいスピーカ装置を得ることができる効果がある。
【００７３】
この発明によれば、第１の庇部が、第１の上側庇部と第１の下側庇部とを備え、第１の上側庇部の幅が第１の下側庇部の幅より大きくなるようにスピーカ装置の防水カバーを構成すれば、スピーカと組み合わせてスピーカ装置を構成した場合に、磁石カバーの上側外面に溜まった水滴が上側の第２の開口部から防水カバーの内部に入る恐れが小さいスピーカ装置を得ることができる効果がある。
【００７４】
この発明によれば、フレームカバーが、その磁石カバー側に第２の庇部を備えるようにスピーカ装置の防水カバーを構成すれば、スピーカと組み合わせてスピーカ装置を構成した場合に、水滴が第２の開口部から防水カバーの内部に入る恐れが小さいスピーカ装置を得ることができる効果がある。
【００７５】
この発明によれば、第２の庇部が、第２の上側庇部と第２の下側庇部とを備え、第２の下側庇部の幅が第２の上側庇部の幅より大きくなるようにスピーカ装置の防水カバーを構成すれば、スピーカと組み合わせてスピーカ装置を構成した場合に、フレームカバーの下側内面に溜まった水滴が下側の第２の開口部から防水カバーの内部に入る恐れが小さいスピーカ装置を得ることができる効果がある。
【００７６】
この発明によれば、フレームカバーが、その磁石カバー側と反対側の下側に水抜き孔を備えるようにスピーカ装置の防水カバーを構成すれば、スピーカと組み合わせてスピーカ装置を構成した場合に、防水カバーの内部に入った水滴を水抜き孔から排出することができるスピーカ装置を得ることができる効果がある。
【００７７】
この発明によれば、磁石カバーからフレームカバーに向かって斜め下方に伸び、磁石カバーとフレームカバーとを連結する連結部を備えるようにスピーカ装置の防水カバーを構成すれば、スピーカと組み合わせてスピーカ装置を構成した場合に、連結部でせき止められた水滴を防水カバーの外側に流し出すことができるスピーカ装置を得ることができる効果がある。
【図面の簡単な説明】
【図１】この発明の実施の形態１によるスピーカ装置の構成を示す断面図である。
【図２】この発明の実施の形態１によるスピーカ装置の防水カバーの構成を示す斜視図である。
【図３】この発明の実施の形態２によるスピーカ装置の防水カバーの構成を示す正面図である。
【図４】図３中のＩＶ−ＩＶ線に沿った断面図である。
【図５】右半分が図３中のＶ−Ｖ線に沿った断面を示し、左半分が図３中のＶ−Ｖ線に垂直な方向から眺めた側面を示す部分断面図である。
【図６】図３中の破線で囲んだＶＩ部分を拡大して示す斜視図である。
【図７】従来例１のスピーカ装置を示す構成図である。
【図８】従来例２のスピーカ装置を示す構成図である。
【符号の説明】
１  スピーカ装置、２  スピーカ、３，４３  防水カバー、１５  フレーム、１６  磁石、３１  磁石カバー、３２  フレームカバー、３３  第１の開口部、３４  第２の開口部、３５  第１のベゼル部（第１の庇部）、３５ａ  第１の上側ベゼル部（第１の上側庇部）、３５ｂ  第１の下側ベゼル部（第１の下側庇部）、３６  第２のベゼル部（第２の庇部）、３６ａ  第２の上側ベゼル部（第２の上側庇部）、３６ｂ  第２の下側ベゼル部（第２の下側庇部）、３７  水抜き孔、４８ａ  第１の連結部（連結部）。
【図１】
0003634143.tif 000002
【図２】
0003634143.tif 000003
【図３】
0003634143.tif 000004
【図４】
0003634143.tif 000005
【図５】
0003634143.tif 000006
【図６】
0003634143.tif 000007
【図７】
0003634143.tif 000008
【図８】
0003634143.tif 000009